(57)【要約】【課題】従来技術のタッチディスプレイパネル及びディスプレイ装置を単純化するようなタッチディスプレイパネル及びディスプレイ装置を提供する。【解決手段】本発明は、タッチディスプレイパネルを開示する。このタッチディスプレイパネルは、カラーフィルター基板と、アレイ基板と、液晶層と、液晶層から離れるカラーフィルター基板の一側に位置する接触検知膜と、を備え、カラーフィルター基板は、基板と、アレイ分布状態にある複数の開口領域が備えられたブラックマトリクスと、を備え、接触検知膜は基板を備え、その基板の一側には複数の第１電極が備えられ、その基板の他側には複数の第２電極が備えられ、カラーフィルター基板の第１電極及び第２電極の突出部が互いに交差し、第１電極がカラーフィルター電極であり、カラーフィルター基板の突出部が開口領域に対向する。【選択図】図２
2014049120.tif 000002
【特許請求の範囲】
【請求項１】
カラーフィルター基板と、前記カラーフィルター基板に対向するアレイ基板（３０）と、前記カラーフィルター基板及び前記アレイ基板（３０）の間に位置する液晶層（４０）と、前記液晶層（４０）から離れる前記カラーフィルター基板の一側に位置する接触検知膜と、を備え、
前記カラーフィルター基板が、第１基板（２７）と、前記第１基板（２７）に設けられたブラックマトリクス（２８）と、を備え、前記ブラックマトリクス（２８）にはアレイ分布状態にある複数の開口領域（２９）が備えられており、
前記接触検知膜が、第２基板（２４）を備え、前記第２基板（２４）の一側には、ストリップ状の構造体を有する、互いに平行な複数の第１電極（２１）が備えられ、前記第２基板（２５）の他側には、ストリップ状の構造体を有する、互いに平行な複数の第２電極（２５）が備えられ、前記カラーフィルター基板の第１電極（２１）及び第２電極（２５）の突出部が互いに交差し、前記第１電極（２１）が、カラーフィルターリング機能を有するカラーフィルター電極であり、前記カラーフィルター基板の第１電極（２１）の突出部が、アレイ分布状態にある前記複数の開口領域（２９）に対向するタッチディスプレイパネル。
【請求項２】
前記カラーフィルター基板の第１電極（２１）の突出部が、前記カラーフィルター基板の第２電極（２５）の突出部に垂直であることを特徴とする、請求項１に記載のタッチディスプレイパネル。
【請求項３】
前記第１電極（２１）が駆動電極であり、前記第２電極（２５）が誘導電極であることを特徴とする、請求項１又は２に記載のタッチディスプレイパネル。
【請求項４】
前記第１電極（２１）が誘導電極であり、前記第２電極（２５）が駆動電極であることを特徴とする、請求項１又は２に記載のタッチディスプレイパネル。
【請求項５】
前記第１電極（２１）が、少なくとも赤色カラーフィルター電極と、緑色カラーフィルター電極と、青色カラーフィルター電極と、を備え、種々の色を有する前記カラーフィルター電極が、順に選択的に備えられることを特徴とする、請求項１から４の何れか一項に記載のタッチディスプレイパネル。
【請求項６】
第１電極保護層（２２）が前記第１電極の外側に備えられ、第２電極保護層（２６）が前記第２電極の外側に備えられることを特徴とする、請求項１から５の何れか一項に記載のタッチディスプレイパネル。
【請求項７】
前記タッチディスプレイパネルの表面保護層（２３）が、前記カラーフィルター基板から離れる前記接触検知膜の一側に備えられることを特徴とする、請求項１から６の何れか一項に記載のタッチディスプレイパネル。
【請求項８】
前記第１電極（２１）が、前記第２電極（２５）と比較して前記カラーフィルター基板により近いことを特徴とする、請求項１から７の何れか一項に記載のタッチディスプレイパネル。
【請求項９】
前記第２電極（２５）が、前記第１電極（２１）と比較して前記カラーフィルター基板により近いことを特徴とする、請求項１から８の何れか一項に記載のタッチディスプレイパネル。
【請求項１０】
請求項１から９の何れか一項に記載のタッチディスプレイパネルを備えるディスプレイ装置。
【発明の詳細な説明】
【技術分野】
【０００１】
本発明の実施形態は、タッチディスプレイパネル及びディスプレイ装置に関する。
【背景技術】
【０００２】
国民生活基準を上昇するように、携帯電話及びタブレットのようなエレクトロニクス機器への要求は益々高くなっており、タッチディスプレイはまた、高度なエレクトロニクス機器の必須条件になっている。消費者の要求の観点において、携帯機器及びタブレットの市場における競争が、益々激しくなっている。
【０００３】
容量性タッチパネルディスプレイは、タッチディスプレイパネルを駆動するための電流を生成するために接触検知膜の誘導電極の２つの層の間の静電容量を変えることによって動作する。
【０００４】
図１に示されるように、図１は、従来技術におけるタッチディスプレイパネルの構造の一部の概略図である。
【０００５】
従来のタッチディスプレイパネルは、接触検知膜及びディスプレイパネルを備える。ディスプレイパネルのカラーフィルター基板の部分は、基板７、着色樹脂８及びカラーフィルター基板のブラックマトリクス９を備える。接触検知膜は、基板４、それぞれ基板４の二側に作られる、複数の縦方向に延びる第１電極１及び複数の横方向に延びる第２電極５；第１電極１の外側に設けられる第１電極保護層２、及び、第１電極保護層２の外側に設けられる表面保護層３；第２電極５の外側に設けられる第２電極保護層６、及び、基板４から離れた第２電極保護層６の一側に設けられる基板７を備える。基板７には、ブラックマトリクス９及び着色樹脂８が備えられている。ブラックマトリクス９の複数の横方向部分及び複数の縦方向部分は、メッシュ構造を形成するように互いに交差し、２つの横部分及び縦部分が動作領域を形成するように互いに隣接し、着色樹脂８は、その開口領域を覆い、着色樹脂８の種々の色が、順に選択的に備えられている。
【０００６】
着色樹脂８は、タッチディスプレイパネルによって色を表示するために使用される。
【０００７】
従来技術のタッチディスプレイパネルの着色樹脂８は、カラーフィルター基板に備えられ、接触検知膜には、縦方向に分布した第１電極１及び横方向に分布した第２電極５が備えられており、接触検知膜は、複雑な構造を有する複数の層レベルを有する。
【発明の概要】
【発明が解決しようとする課題】
【０００８】
本発明の実施形態は、従来技術のタッチディスプレイパネル及びディスプレイ装置を単純化するようなタッチディスプレイパネル及びディスプレイ装置を与える。
【課題を解決するための手段】
【０００９】
上記目的を達成するために、本発明の実施形態は、以下の技術的な解決方法を与える。
【００１０】
本発明の一側面によって、カラーフィルター基板と、前記カラーフィルター基板に対向して設けられるアレイ基板と、前記カラーフィルター基板及び前記アレイ基板の間に位置する液晶層と、前記液晶層から離れる前記カラーフィルター基板の一側に位置する接触検知膜と、を備え、前記カラーフィルター基板が、第１基板と、前記第１基板に設けられたブラックマトリクスと、を備え、前記ブラックマトリクスにはアレイ分布状態にある複数の開口領域が備えられており、前記接触検知膜が、第２基板を備え、前記第２基板の一側には、ストリップ状の構造体を有する、互いに平行な複数の第１電極が備えられ、前記第２基板の他側には、ストリップ状の構造体を有する、互いに平行な複数の第２電極が備えられ、前記カラーフィルター基板の第１電極及び第２電極の突出部が互いに交差し、前記第１電極が、カラーフィルターリング機能を有するカラーフィルター電極であり、前記カラーフィルター基板の第１電極の突出部が、アレイ分布状態にある前記複数の開口領域に対向するタッチディスプレイパネルが与えられる。
【００１１】
例えば、前記第１電極の突出部が前記第２電極の突出部に垂直であることが好ましい。
【００１２】
例えば、前記第１電極が駆動電極であり、前記第２電極が誘導電極であることが好ましい。
【００１３】
例えば、前記第１電極が誘導電極であり、前記第２電極が駆動電極であることが好ましい。
【００１４】
例えば、前記第１電極が、少なくとも赤色カラーフィルター電極と、緑色カラーフィルター電極と、青色カラーフィルター電極と、を備え、種々の色を有する前記カラーフィルター電極が、順に選択的に備えられることが好ましい。
【００１５】
例えば、第１電極保護層が前記第１電極の外側に備えられ、第２電極保護層が前記第２電極の外側に備えられることが好ましい。
【００１６】
例えば、前記タッチディスプレイパネルの表面保護層が、前記カラーフィルター基板から離れる前記接触検知膜の一側に備えられることが好ましい。
【００１７】
例えば、前記第１電極が、前記第２電極と比較して前記カラーフィルター基板により近いことが好ましい。
【００１８】
例えば、前記第２電極が、前記第１電極と比較して前記カラーフィルター基板により近いことが好ましい。
【００１９】
本発明の他の一側面によれば、上記の技術的な解決手段の何れか１つに言及されているタッチディスプレイパネルを備えるディスプレイ装置が与えられる。
【００２０】
本発明の他の側面によって、カラーフィルター基板と、前記カラーフィルター基板に対向して設けられるアレイ基板と、前記カラーフィルター基板及び前記アレイ基板の間に位置する液晶層と、前記液晶層から離れる前記カラーフィルター基板の一側に位置する接触検知膜と、を備え、前記カラーフィルター基板が、第１基板と、前記第１基板に設けられたブラックマトリクスと、を備え、前記ブラックマトリクスにはアレイ分布状態にある複数の開口領域が備えられており、前記接触検知膜が、第２基板を備え、前記第２基板の一側には、ストリップ状の構造体を有する、互いに平行な複数の第１電極が備えられ、前記第２基板の他側には、ストリップ状の構造体を有する、互いに平行な複数の第２電極が備えられ、前記カラーフィルター基板の第１電極及び第２電極の突出部が互いに交差し、前記第１電極が、カラーフィルターリング機能を有するカラーフィルター電極であり、前記カラーフィルター基板の第１電極の突出部が、アレイ分布状態にある前記複数の開口領域に対向するタッチディスプレイパネルが与えられる。
【図面の簡単な説明】
【００２１】
【図１】図１は、従来技術のタッチディスプレイパネルの構造の一部の概略図である。
【図２】図２は、本発明の実施形態で与えられるタッチディスプレイパネルの原理構造の概略図である。
【図３】図３は、本発明の実施形態で与えられるタッチディスプレイパネルの構造の上面図である。
【発明を実施するための形態】
【００２２】
本発明の実施形態の技術的な解決方法をより明確に示すために、実施形態の図面が簡易に記載される。記載された図面は、本発明のある実施形態に関連するだけであり、本発明を限定するものではないことは明らかである。
【００２３】
本発明の実施形態の技術的な解決手段は、本発明の実施形態に関連する図面に関係して明確に且つ完全に理解可能な方法で記載される。記載される実施形態が本発明の実施形態のほんの一部であって全てではないことは明らかである。本発明の実施形態によれば、創意工夫なしという前提で当業者によって得られる全ての他の実施形態は、本発明の範囲にあるものとする。
【００２４】
特段の断りが無い限り、本明細書で使用される技術的又は科学的な技術用語は、本発明の分野における当業者に理解される一般的な意味を有するものとする。本発明の特許出願の明細書及び特許請求の範囲において使用される“第１”、第２”等は、順序、数または重要性を示すものではなく、単に種々の構成部品を区別するために使用される。同様に、“１つの”、“その”等の用語は、数の限定を表すものではなく、少なくとも１つの存在を意味するものである、“含む”、“備える”等の用語は、このような用語が修飾する要素又は対象物を意味するものであり、このような用語が記載されるその要素又は対象物に相当し、他の要素又は対象物を排除するものではない。“接続する”、“接続される”等の用語は、物理的又は化学的な接続に限定されず、直接又は間接を問わず、電気的な接続も含むものである。“上”、“下”、“左”、“右”等の用語は、相対的な位置を示すために使用されるだけであり、記載された対象物の絶対的な位置が変更された場合、相対的な位置もそれに伴って変更され得るものである。
【００２５】
図２及び図３に示されるように、図２は、本発明の実施形態において提供されるタッチディスプレイパネルの原理構造の概略図であり、図３は、本発明の実施形態において提供されるタッチディスプレイパネルの構造の上面図である。
【００２６】
本発明の実施形態によるタッチディスプレイパネルは、カラーフィルター基板と、カラーフィルター基板に対向して設けられるアレイ基板３０と、カラーフィルター基板及びアレイ基板の間に位置する液晶層４０と、液晶層から離れるカラーフィルター基板の一側に位置する接触検知膜と、を備える。
【００２７】
カラーフィルター基板は、第１基板２７と、第１基板２７に設けられたブラックマトリクス２８と、を備え、ブラックマトリクス２８にはアレイ分布状態にある複数の開口領域２９が備えられる。
【００２８】
接触検知膜は、第２基板２４を備え、第２基板２４の一側には、ストリップ状の構造体を有する、互いに平行な複数の第１電極が備えられ、他側には、ストリップ状の構造体を有する、互いに平行な複数の第２電極が備えられる。カラーフィルター基板の第１電極２１及び第２電極２５の突出部が互いに交差する。第１電極２１は、カラーフィルターリング機能を有するカラーフィルター電極であり、カラーフィルター基板の第１電極２１の突出部は、アレイ分布状態にある複数の開口領域に対向する。
【００２９】
本発明の実施形態によるタッチディスプレイパネルにおいて、上記の開口領域２９を通過する光は、第１電極２１を貫通する必要があり、そのため、第１電極２１は、カラーフィルター基板の着色樹脂のカラーフィルターリング効果を実現することができ、従って、カラーフィルター基板に着色樹脂を提供する必要がない。従って、従来技術のタッチディスプレイパネルの第１電極は、カラーフィルター基板の着色樹脂と組み合わされ、そのため、カラーフィルター基板の構造が単純化され、さらにタッチディスプレイパネルの構造が単純化される。
【００３０】
さらに、本発明の実施形態によるタッチディスプレイパネルは、従来技術のカラーフィルター基板の着色樹脂と接触検知膜の第１電極とを１つの部分に組み合わせ、従って、着色フィルター基板及び接触検知膜の準備中に、接触検知膜に第１電極を製造するためのマスクは、従来技術のものと比較して削減され得る。従来技術のカラーフィルター基板の着色樹脂を準備するためのマスクを使用することによって接触検知膜の第１電極を準備するために準備工程を単純化するだけではなく、マスクを節約することによって製造コストを削減し、そのことは、市場における商品の競争力を引き上げる。
【００３１】
上記の技術的な解決手段で言及したカラーフィルター電極は、導電性高分子及び着色顔料を混合することによって得られ得る。
【００３２】
例えば、上記の第１電極２１及び第２電極２５が互いに垂直であり得ることが好ましい。
【００３３】
具体的には、例えば、上記の第１電極２１は駆動電極であり、第２電極２５は誘導電極である。
【００３４】
同様に、上記の第１電極２１は誘導電極であり得、第２電極２５は駆動電極であり得る。
【００３５】
好ましい実施形態において、例えば、上記の第１電極は、少なくとも赤色カラーフィルター電極２１１と、緑色カラーフィルター電極２１２と、青色カラーフィルター電極２１３と、を備え、種々の色を有するカラーフィルター電極が、順に選択的に備えられる。上記の第１電極はまた、本明細書において１つずつ列記しないが、オレンジ色カラーフィルター電極、黄色カラーフィルター電極及び／又は他のカラーフィルター電極を備え得る。
【００３６】
例えば、第１電極保護層２２が第１電極２１の外側に備えられ、第２電極保護層２６が第２電極２５の外側に備えられることが好ましい。
【００３７】
例えば、タッチディスプレイパネルの表面保護層２３が、カラーフィルター基板から離れる接触検知膜の一側に備えられることが更に好ましい。
【００３８】
例えば、光の漏れの発生を避けるために、第１電極２１が、第２電極２５と比較してカラーフィルター基板により近いことが好ましい。
【００３９】
あるいは、それは、カラーフィルター基板により近い第２電極２５であり得（図２に示されるように）、第１電極２１の幅は、ブラックマトリクス２８の開口領域２９の幅より大きく、それはまた、光の漏れの発生を避け得る。
【００４０】
本発明の実施形態によれば、更に、上記の技術的な解決手段の何れかに言及されるタッチディスプレイパネルを備えるディスプレイ装置が与えられる。
【００４１】
本発明の実施形態によるタッチディスプレイパネルにおいて、ブラックマトリクスは、カラーフィルター基板の第１基板に形成され、ブラックマトリクスには、アレイ分布状態にある複数の開口領域が備えられ、接触検知膜の第１電極は、カラーフィルターリング機能を有し、ブラックマトリクスにおいてアレイ分布状態にある開口領域に対向し、交互に配列されるカラーフィルター電極である。開口領域２９上を通過する光は、第１電極２１を貫通する必要があり、従って、第１電極２１は、従来技術におけるカラーフィルター基板の着色樹脂のカラーフィルターリング効果を実現することができ、そのため、カラーフィルター基板に着色樹脂を提供する必要がある。従って、タッチディスプレイパネルが単純化されるように、接触検知膜の第１電極は、カラーフィルター基板の着色樹脂と組み合わされる。
【００４２】
本発明の思想及び範囲から逸脱することなく種々の修正又は変更が当業者によって行われ得ることは明らかである。このように、本発明のこれらの修正及び変更が、特許請求の範囲及び本発明の等価な技術事項の範囲にある場合、本発明がこれらの修正及び変更を含むものであることが意図される。
【符号の説明】
【００４３】
１  第１電極
２  第１電極保護層
３  表面保護層
４  基板
５  第２電極
６  第２電極保護層
７  基板
８  着色樹脂
９  ブラックマトリクス
２１  第１電極
２２  第１電極保護層
２３  表面保護層
２４  第２基板
２５  第２電極
２６  第２電極保護層
２７  第１基板
２８  ブラックマトリクス
３０  アレイ基板
４０  液晶層
２１１  赤色カラーフィルター電極
２１２  緑色カラーフィルター電極
２１３  青色カラーフィルター電極
【図１】
2014049120.tif 000003
【図２】
2014049120.tif 000004
【図３】
2014049120.tif 000005
【外国語明細書】
2014049120000001.pdf